(57)【要約】【課題】洋服用のインナーと同様、手軽に着用できると共に、上にゆかたを着用した場合に裾さばきが良好で、帯の締まりも良好なゆかた用インナーの提供を図る。【解決手段】ゆかたの下に着用されるゆかた用インナーにおいて、上半身を覆う上部１と下半身を覆う下部２とが接続されたものであり、上部１は上半身が挿入される筒状の胴部１１を備え、下部２は左右の両端が接続されていない布状体２１から構成される。この布状体２１の上端が胴部１１の下端１３に縫着され、布状体２１の左端２２が胴部１１の正面右側に位置し、布状体２１の右端２３が胴部１１の正面左側に位置し、胴部１１の正面略中央にて布状体２１の左右両端寄り部分２４、２５が重ねられて２重になっており、その上端のみで縫着されている。【選択図】          図１
0003107567.tif 000002
【実用新案登録請求の範囲】
【請求項１】
ゆかたの下に着用されるゆかた用インナーにおいて、
上半身を覆う上部（１）と下半身を覆う下部（２）とが接続され、
上部（１）は上半身に着用される筒状の胴部（１１）を備え、
下部（２）は左右の両端が接続されていない布状体（２１）から構成され、この布状体（２１）の上端が胴部（１１）の下端（１３）に縫着され、布状体（２１）の左端（２２）が胴部（１１）の正面右側に位置し、布状体（２１）の右端（２３）が胴部（１１）の正面左側に位置し、胴部（１１）の正面略中央にて布状体（２１）の左右両端寄り部分（２４、２５）が重ねられて２重になっており、その上端のみで縫着されていることを特徴とするゆかた用インナー。
【請求項２】
上部（１）の胴部（１１）は編地から構成され、下部（２）の布状体（２１）は、胴部（１１）の編地よりも伸縮性が小さな織地から構成され、
折り上部（１）は、上記の胴部（１１）と、胴部（１１）の上端に設けられた肩紐（１２）とを備え、
胴部（１１）の下端（１３）はウエスト位置と腰骨位置の間に位置することにより、女性用帯を締めた際に帯の下端位置と略等しい位置に位置するものであり、
下部（２）の布状体（２１）は、左端寄り部分（２４）が右端寄り部分（２５）の表面側に重ねられたものであり、
下部（２）の布状体（２１）の左端（２２）と正面中央線（ｃ）との間の距離（ａ）よりも、下部（２）の布状体（２１）の右端（２３）と正面中央線（ｃ）との間の距離（ｂ）の方が長く設定されたものであり、
下部（２）の布状体（２１）の下端はひざ下まで達することを特徴とする請求項１記載のゆかた用インナー。
【考案の詳細な説明】
【技術分野】
【０００１】
本願考案は、ゆかたの下に着用されるゆかた用インナーに関するもである。
【背景技術】
【０００２】
従来、ゆかたは素肌の上に直接着用するものであるが、直接着用した場合、浴衣の色柄によっては、透けて見える場合もあり、着用に抵抗感を覚える場合もある。また、夏期などには汗をかいた場合、汗をかいた背中などの肌にゆかたの布地がくっついてしまい、着心地も悪く、外観上も好ましくはない。そのため、ゆかたの下着を着用する場合、ゆかた用の下着としては適当なものが開発されていないため、ゆかたの下に、スリップなどの洋服用インナーを着用せざるを得ないのが現状である。ところが、スリップなどでは裾さばきが悪かったり、上半身と下半身の生地が一体であるため帯の締まりが悪くてずれ易いと言った問題がある。
【考案の開示】
【考案が解決しようとする課題】
【０００３】
本考案は、ゆかたかの下が透けて見えたり、汗でゆかた生地が濡れてしまったりすることを防止するために、ゆかたの下に着用でき、しかも、洋服用のインナーと同様、手軽に着用できると共に、上にゆかたを着用した場合に裾さばきが良好で、帯の締まりも良好なゆかた用インナーの提供を目的とする。
【課題を解決するための手段】
【０００４】
そこで本願の第１の考案は、ゆかたの下に着用されるゆかた用インナーにおいて、上半身を覆う上部１と下半身を覆う下部２とが接続され、上部１は上半身が挿入される筒状の胴部１１を備え、下部２は左右の両端が接続されていない布状体２１から構成され、この布状体２１の上端が胴部１１の下端１３に縫着され、布状体２１の左端２２が胴部１１の正面右側に位置し、布状体２１の右端２３が胴部１１の正面左側に位置し、胴部１１の正面略中央にて布状体２１の左右両端寄り部分２４、２５が重ねられて２重になっており、その上端のみで縫着されていることを特徴とするゆかた用インナーを提供する。
本願の第２の考案は、上記の第１の考案に係るゆかた用インナーにおいて、上部１の胴部１１は編地から構成され、下部２の布状体２１は、胴部１１の編地よりも伸縮性が小さな織地から構成され、折り上部１は、上記の胴部１１と、胴部１１の上端に設けられた肩紐１２とを備え、胴部１１の下端１３はウエスト位置と腰骨位置の間に位置することにより、女性用帯を締めた際に帯の下端位置と略等しい位置に位置するものであり、下部２の布状体２１は、左端寄り部分２４が右端寄り部分２５の表面側に重ねられたものであり、下部２の布状体２１の左端２２と正面中央線ｃとの間の距離ａよりも、下部２の布状体２１の右端２３と正面中央線ｃとの間の距離ｂの方が長く設定されたものであり、下部２の布状体２１の下端はひざ下まで達することを特徴とする請求項１記載のゆかた用インナーを提供することにより、上記の課題を解決する。
【考案の効果】
【０００５】
本願の第１に係るゆかた用インナーにおいては、上半身を覆う上部１が筒状の胴部をなすため、通常のスリップと同じ感覚で着用でき、これにより、ゆかたかの下が透けて見えたり、汗でゆかた生地が濡れてしまったり、肌にくっついたりすることを防止し得る。他方、下部２は左右の両端が接続されていない布状体２１から構成され、胴部１１の正面略中央にて布状体２１の左右両端寄り部分２４、２５が重ねられて２重になっており、その上端のみで縫着されいるため、和装用の下着と同様、ゆかたの裾さばきに沿ってさばけるものであり、良好な裾さばきが実現する。
本願の第２の考案は、上記の第１の考案の効果に加えて、上部１の胴部１１は編地から構成されるため上半身にフィットする。一方、下部２の布状体２１は、胴部１１の編地よりも伸縮性が小さな織地から構成されているため、足を動かした際に必要以上の伸びることがなく、足にまとわりついたりすることが防止され、良好な裾さばきとなる。
折り上部１は、上記の胴部１１と、胴部１１の上端に設けられた肩紐１２とを備えるため、洋装用のスリップと同感覚で素早く着用できる。
上記のように、下部２の布状体２１は、正面中央で２重となっており、その上に、帯を巻いた場合、ごろ付き感があって着用感が悪いという問題が生ずるおそれがあるが、胴部１１の下端１３はウエスト位置と腰骨位置の間に位置することにより、女性用帯を締めた際に帯の下端位置と略等しい位置に位置し、帯の下端位置と略等しい位置に位置するようにしたことによって、ごろ付き感が生ずることがなく、帯の締まりも良好になると共に、裾さばきもより自然なものとなる。
下部２の布状体２１は、左端寄り部分２４が右端寄り部分２５の表面側に重ねられたものであり、下部２の布状体２１の左端２２と正面中央線ｃとの間の距離ａよりも、下部２の布状体２１の右端２３と正面中央線ｃとの間の距離ｂの方が長く設定されたものであるため、ゆかたの裾と略同じ状態となり、より自然な裾さばきが実現するものである。
【考案を実施するための最良の形態】
【０００６】
以下、図面に基づき本願考案の実施の形態を説明する。
図１は、本願考案の実施の形態に係るゆかた用インナーの下方から見た斜視図であり、図２は同ゆかた用インナーの着用状態を示す斜視図である。
【０００７】
このゆかた用インナーは、上半身を覆う上部１と、下半身を覆う下部２とが別々に形成されると共に、両者１、２が縫製によって一体に接続されている。
【０００８】
上部１は上半身が挿入される筒状の胴部１１と、この胴部１１の上端に設けられた左右一対の肩紐１２、１２とからなる。肩紐は、図示は省略するが、調整金具によって長さ調整可能となっている。胴部１１は袖無しとしているが、短い袖であれば設けて実施することも可能である。この胴部１１は、リブ編などのニット製であり、伸縮性が良好で、上半身フィットするものである。胸元は、図の直線状のものであってもよく、Ｖ字状に開いたものなど、適宜変更して実施可能である。上端の生地端は、伸縮性の高いゴムテープなどでかがっておくことが望ましい。
【０００９】
下部２は左右の両端２２、２３が接続されていない布状体２１から構成されている。この布状体２１は、左右の両端寄り部分が正面で重なるように巻かれたもので、その上端が上記の胴部１１の下端１３に縫着されている。布状体２１の左半分は背面から左の体側を経て正面中央を越えて、右前身頃まで達するものであり、布状体２１の左端２２は胴部１１の正面右側に位置する。布状体２１の右半分は後身頃から右の体側を経て正面中央を越えて、左前身頃まで達するものであり、布状体２１の右端２３は胴部１１の正面左側に位置する。これにより、胴部１１の正面略中央にて布状体２１の左右両端寄り部分２４、２５が重ねられている。このゆかたインナーは、左端寄り部分２４が右端寄り部分２５の表面側に重ねられているが、両者２４、２５は、その上端のみで縫着されているにすぎず、他の部分は縫着されていない。特に、この布状体２１は、その左端２２と正面中央線（仮想線ｃ）との間の距離ａよりも、右端２３と正面中央線（仮想線ｃ）との間の距離ｂの方が長く設定されていることにより、ゆかたの下に着用した際、自然な裾さばきが実現するものである。
【００１０】
下部２の布状体２１は、胴部１１の編地よりも伸縮性が小さな織地から構成され、特に、トリコット織やクレープ織が望ましい。このように、伸縮性の小さな織地とすることによって、裾さばきの際に必要以上の伸びることがなく、楽に歩行できるものである。これらの生地は、吸水、即乾、消臭などの種々の加工を施しておくことが望ましい。
【００１１】
下部２の布状体２１の上端、言い換えれば、上部１の胴部１１の下端１３は、ウエスト位置から腰骨位置の間に位置することにより、図２に示すように、ゆかたｄの上から女性用帯ｅを締めた際に帯の下端位置と略等しい位置に位置する。これは、通常の洋装用のインナーに比して８cmほど下方の位置に設計される。下部２の布状体２１は、正面中央で２重となっており、その上に、帯を巻いた場合、ごろ付き感があって着用感が悪いという問題があるが、上記のように、女性用帯を締めた際に帯の下端位置と略等しい位置に位置するようにしたことによって、良好な着用感が実現できると共に、裾さばきもより自然なものとなる。また、下部２の布状体２１の下端は、ひざ下まで達し、ひざ下約１０cmが適当である。標準の１６０cm身長の場合、肩紐は約２０〜４０cmの長さまで調整可能。胴部１１の上下長さは約４０cm、下部２の布状体２１の上下長さは約５０cmが適当である。
【図面の簡単な説明】
【００１２】
【図１】本考案の実施の形態に係るゆかた用インナーの下方から見た斜視図である。
【図２】同ゆかた用インナーの着用状態を示す斜視図である。
【符号の説明】
【００１３】
１    上部
２    下部
１１  胴部
１２  肩紐
１３  胴部の下端
２１  布状体
２２  布状体の左端
２３  布状体の右端
２４  布状体の左端寄り部分
２５  布状体の右端寄り部分
【図１】
0003107567.tif 000003
【図２】
0003107567.tif 000004